(57)【特許請求の範囲】
【請求項１】
特に化粧品用の製品のディスペンサ（１）であって、
前記製品を塗布するのに適した塗布具（２、５、１５、１６）であって、当該塗布具（２、５、１５、１６）が軸（Ａ）に沿って延在する、塗布具と、
外装（２７）を備えるケース（２０）であって、前記外装が、閉じた底部（２１）と前記外装（２７）内に通じる、前記底部（２１）の反対側の開口部との間で中心軸（Ｂ）に沿って長手方向に延在し、前記塗布具２、５、１５、１６）の少なくとも一部を同軸状に収容するのに適した、ケース（２０）であって、当該ケース（２０）が前記中心軸（Ｂ）に対して横に前記外装（２７）の境界を画定する筒状の側壁（２５）を備える、ケースと、
鏡（４６）を備えた可動部材（３５）であって、前記可動部材（３５）が前記底部（２１）に近接した後退位置と前記可動部材（３５）が前記底部（２１）から離れた使用位置との間で前記中心軸（Ｂ）に沿って移動可能に、前記外装（２７）の内部に内蔵された可動部材（３５）と、
前記ケース（２０）の前記底部（２１）と前記可動部材（３５）との間に取り付けられ、前記可動部材（３５）を前記使用位置に向けて動かすのに適したアクチュエータ部材（５０）と、
を備え、
前記外装（２７）が、前記可動部材（３５）と協働して前記可動部材（３５）の前記使用位置を定めるのに適した当接面（３０）を備えるディスペンサ（１）において、
前記ケース（２０）が、内部に、前記側壁（２５）上に形成された少なくとも１つの凹部（３４）を含み、前記凹部（３４）が前記当接面（３０）を含み、
前記可動部材（３５）が、前記ケース（２０）の内側面と接触すると共に、前記可動部材（３５）の前記使用位置における前記当接面（３０）と接触するように構成された少なくとも１つのガイド部（４２）を備え、前記ガイド部が、前記中心軸（Ｂ）に沿って前記開口部に向かって延在し、自由端が前記ケース（２０）の前記内側面に接触する、弾性的に変形可能なタブ（４２）であり、前記自由端は、前記可動部材（３５）の前記使用位置における前記当接面（３０）と接触することを特徴とするディスペンサ（１）。
【請求項２】
前記当接面（３０）が、前記使用位置における前記可動部材（３５）に接触するように、前記中心軸（Ｂ）に対して実質的に横に配置されている、請求項１に記載のディスペンサ（１）。
【請求項３】
前記塗布具（２、５、１５、１６）が、前記ケースの前記外装（２７）内に前記塗布具（２、５、１５、１６）が収容されるときに前記凹部（３４）に嵌合するのに適した固定部（１４）を備える、請求項１または２に記載のディスペンサ（１）。
【請求項４】
前記鏡（４６）が、前記中心軸（Ｂ）に対して垂直に延在する、請求項１から３のいずれか一項に記載のディスペンサ（１）。
【請求項５】
前記鏡（４６）が、前記中心軸（Ｂ）に対して平行に延在する、請求項１から３のいずれか一項に記載のディスペンサ（１）。
【請求項６】
前記可動部材（３５）が、前記中心軸（Ｂ）に沿って延在する収容スペース（４４）を有する支持体（４６）を備え、前記収容スペースは、前記塗布具（２、５、１５、１６）を収容するために前記ケース（２０）の前記開口部側が開口しており、前記支持体（４６）は、前記鏡（４６）を保持する外表面を有する、請求項５に記載のディスペンサ（１）。
【請求項７】
前記塗布具（２、５、１５、１６）が、化粧のまたは薬学的な用途に即して唇に塗布されるように設計された固体のまたはペースト状の製品を備える、請求項１から６のいずれか一項に記載のディスペンサ（１）。
【請求項８】
前記塗布具が、唇のケアおよび／またはメーキャップのための化粧製品を含む、請求項１から７のいずれか一項に記載のディスペンサ（１）。
【請求項９】
前記製品が、口紅スティックである、請求項８に記載のディスペンサ（１）。
【発明の詳細な説明】
【技術分野】
【０００１】
本発明は、製品のディスペンサに関する。
【０００２】
とりわけ、本発明は、特に化粧品(口紅など)用の、製品のディスペンサであって、前記製品を塗布するのに適した塗布具と、外装を備えるケースであって、外装が、閉じた底部と外装内に通じる、底部の反対側の開口部との間で中心軸に沿って長手方向に延在し、塗布具の少なくとも一部を収容するのに適した、ケースと、鏡を備えた可動部材であって、前記可動部材が底部に近接した後退位置と、前記可動部材が底部から離れた使用位置との間で中心軸に沿って移動可能に、外装の内部に内蔵された可動部材と、ケースの底部と可動部材との間に取り付けられ、可動部材を使用位置に向けて動かすのに適したアクチュエータ部材(弾性部材など)と、を含むディスペンサに関する。
【背景技術】
【０００３】
製品のディスペンサのこのタイプのものは、米国特許第2,485,161号の文書に開示されている。
【０００４】
しかしながら、既知のディスペンサでは、特に時間が経つとともに、使用位置を満足に制御できなくなる。
【先行技術文献】
【特許文献】
【０００５】
【特許文献１】米国特許第2,485,161号
【発明の概要】
【発明が解決しようとする課題】
【０００６】
本発明は、上記の課題を克服することをねらいとする。
【０００７】
この目的のために、本発明は、外装が、可動部材の使用位置を定めるために前記可動部材と協働するのに適した当接面を含む、製品のディスペンサの前述のタイプのものを提案する。
【課題を解決するための手段】
【０００８】
このように定められた使用位置は、ディスペンサの使用期間にわたって、ディスペンサが使用されるごとの変動はない。これにより、特に時間が経ったときの、使用位置の制御の向上になる。
【０００９】
さらに、特定の配置によれば、使用位置が、当接面によって定められるので、例えば弾性部材の形をしたアクチュエータ部材が、可動部材を使用位置に戻すという単一の機能を実行することができる。したがって、アクチュエータ部材取り付けの制約の厳しさを低減させることができ、それにより、ディスペンサの組み立てが単純化される。
【００１０】
さらに、当接面の位置決めに作用することにより、鏡の見えやすさが単純な方法で最適化され得る。
【００１１】
当接面は、例えば、使用位置で可動部材に接触するように、中心軸に対して実質的に横に配置することができる。
【００１２】
さらに、アクチュエータ部材は、使用位置の可動部材を当接面に押し付けるのに適したものであり得る。
【００１３】
さらに、ケースは、中心軸に対して横に外装の境界を画定する筒状の側壁を備えることができる。
【００１４】
一実施形態において、ケースは次いで、側壁から突き出た少なくとも1つの係止部を内部に含むことができ、前記係止部が当接面を含む。
【００１５】
別の実施形態において、ケースは、内部に、側壁上に形成された少なくとも1つの凹部を含むことができ、前記凹部が当接面を含む。
【００１６】
ケースが塗布具を覆うためにその上に配置されるとき、塗布具をケースに確実に係止するために、塗布具は、塗布具がケース内の外装に収容されるときに凹部に嵌合するのに適した固定部を含むことが期待され得る。
【００１７】
可動部材を誘導し、スムーズに外装内を確実に移動させるために、可動部材は、ケースの内側面に接触し、可動部材の使用位置における当接面に接触するように構成された少なくとも1つのガイド部を含むことができる。
【００１８】
特に、ガイド部は、中心軸に沿って開口部に向かって延在し、自由端がケースの内側面に接触する、弾性的に変形可能なタブであってもよく、前記自由端は、可動部材の使用位置における当接面と接触する。
【００１９】
一実施形態において、鏡は、中心軸に対して垂直に延在することができる。
【００２０】
別の実施形態において、鏡は、中心軸に対して平行に延在することができる。次いで、可動部材は、中心軸に沿って延在する収容スペースを有する支持体を含むことができ、前記収容スペースは、ケースの開口部側が、塗布具を収容するために開口している。支持体は、鏡を保持する外表面を有する。
【００２１】
本発明によるディスペンサは、特に、化粧のまたは薬学的な用途に即して唇に塗布されるように設計された固体のまたはペースト状の製品を塗布するのに適している。
【００２２】
ディスペンサの特定の応用例において、塗布具は、唇のケアおよび/またはメーキャップのための化粧製品、特に口紅を含む。
【００２３】
一般に、本発明によるディスペンサは、扱う人が、塗布具内に含まれる製品を収納しようとする領域を見る必要があるときに、使用され得る。化粧品分野において、本発明によるディスペンサは、アンダーアイコンシーラを目のまわりに塗布するために使用することもできる。
【００２４】
本発明のさらなる目的および利点は、添付の図面を参照しつつなされる以下の説明を読むことで明らかになろう。
【図面の簡単な説明】
【００２５】
【図１】本発明の第1の実施形態による口紅の斜視図であり、口紅は、口紅スティックを見せるために部分的に切り取られた塗布具および鏡が取り付けられた取り外し可能なケースを含む。
【図２】図1の口紅の、図1におけるII-IIで示したラインに沿った断面図であり、塗布具を覆ったケースおよび後退位置における鏡を示す。
【図３】図1の口紅ケースの、図1におけるII-IIで示したラインに沿った断面図であり、使用位置における鏡を示す。
【図４】図3と類似の図であり、鏡を使用位置に向けて弾性的に動かすばね用着座部の実施形態の変形形態を示す。
【図５】第2の実施形態による口紅の斜視図であり、塗布具は、口紅スティックを見せるために部分的に切り取られている。
【図６】図5の口紅の、図5におけるVI-VIで示したラインに沿った断面図であり、後退位置における鏡を示す。
【図７】図5の口紅内の鏡を保持する支持体の斜視図である。
【図８】図5の口紅ケースの、図5におけるVI-VIで示したラインに沿った断面図であり、使用位置における鏡を示す。
【図９】図8においてIXで示した細部の拡大図である。
【図１０】図6においてXで示した細部の拡大図である。
【図１１】第3の実施形態による口紅の斜視図であり、塗布具は、口紅スティックを見せるために部分的に切り取られている。
【図１２】図11の口紅の、図11におけるXII-XIIで示したラインに沿った断面図であり、後退位置における鏡を示す。
【図１３】図11の口紅の変形形態による口紅の斜視図であり、塗布具は、口紅スティックを見せるために部分的に切り取られている。
【図１４】図5における口紅の変形形態の斜視図であり、口紅は、丸い断面を有する。
【図１５】図14の口紅の部分の、図14におけるXV-XVで示したラインに沿った拡大断面図である。
【発明を実施するための形態】
【００２６】
図面において、同じ参照符号は、同一のまたは類似の構成要素を示す。
【００２７】
図1から15は、化粧のまたは薬学的な用途に即して、特に使用者の顔の部分に塗布することを意図した固体のまたはペースト状の製品を含む塗布具と、少なくとも部分的に塗布具を覆うために、その上に同軸方向に移動可能に配置することができるケース20と、反射面45を有する鏡46を備えており、使用者が、製品が塗布される顔の部分を見ることができるように、ケースの内部に移動可能に内蔵された可動部材35とを含むディスペンサ1を示す。
【００２８】
例示の目的で、説明の残りは、塗布具に含まれる製品として、口紅スティックを指す。
【００２９】
さらに、本願において、鏡という用語は、一般に、光線を反射することが可能な、平らなまたは実質的に平らな磨き上げた表面を含む、任意の固体の構成要素を意味し、使用者は、そのような表面によって反射された像を識別することができる。
【００３０】
反射面は、入射光を反射することによって、使用者に見える像を再現することが可能な表面である。例えば、反射面は、金属層を可動部材35に直接的に真空蒸着する、プラスチックフィルムにそのような層を被覆し、可動部材35に接着する、または典型的にはアルミニウムでできた磨き上げた金属プレートによって得ることができる。
【００３１】
有利には、記載した実施形態において、鏡は、従来のガラスの鏡、例えば平面である。
【００３２】
図1および2に示した第1の実施形態において、塗布具は、軸Aに沿って延在し、ベース5、ベース5上に取り付けられたシース15およびシース15上に取り付けられた、シェルとしても知られるカップ16を含む。
【００３３】
ベース5は、矩形の横断の壁7から自由端8まで延在する矩形の断面をもつ筒状の側壁6を有する。側壁6は、塗布具の軸Aを中心とし、横断の壁7から延在する筒状のスリーブ9を囲む。
【００３４】
図示した実施形態において、塗布具は、中心部分12の外表面がベース5の外表面と接触するように、ベース5の自由端8を覆う中心部分12を有する筒状のはめ輪10を備える。特に、はめ輪10は、塗布具の軸Aについて中心部分12の両側に配置された2つの狭い部分11、13を含む。狭い部分の一方11は、ベース5にはめ込まれ、狭い部分の他方13は、ケース20をはめ込むことができるはめ込み部分を成す。変形形態において、はめ込み部分は、ベース5の側壁6上に直接的に作ることができる。
【００３５】
シース15は、丸い断面をもつ筒状であり、塗布具の軸Aのまわりを枢動することができるようにベース5のスリーブ9上にはめ込まれた端部と、自由端17との間に延在する。
【００３６】
カップ16は、シース15内部にスライド可能に取り付けられており、口紅スティック2を収容するように構成されている。
【００３７】
それ自体知られた形では、塗布具は、塗布具の軸Aに沿ってベース5に対してシース15を回転させることで、カップ16の塗布具の軸Aに沿った平行移動を引き起こすように、ベース5、シース15およびカップ16上に配置された、例えば溝および出っ張りの形をした結合要素を含む。
【００３８】
したがって、カップ16上に配置された口紅スティック2は、シース15内にスティック2が完全に収容された保存位置と、シースの自由端17に対してスティック2が突き出た塗布位置との間を移動することができる。
【００３９】
図1および2において、ケース20は、中心軸Bに沿って円筒形であり、底部21および側壁25を含む。
【００４０】
底部21は、矩形の、中心軸Bを横切る壁、および横切る壁から中心軸Bに沿って延在する環状のガイドスカート22を有する。ガイドスカートの外側は、環状の保持ビーズ23を有する。第1の実施形態において、底部21は、個別の部品であり、適切な形で側壁25の一端に固定されている。
【００４１】
側壁25は、矩形の断面をもつ筒状であり、底部21から自由端26まで中心軸Bに沿って延在する。側壁25および底部21は、塗布具の部分を同軸状に収容するのに適した外装27の境界を画定する内側面を有し、側壁25の自由端26は、外装27に通じる開口部の境界を画定する。
【００４２】
図示した実施形態においては、外装27が、はめ込み部分13およびシース15の部分から構成された塗布具の部分を収容することが期待される。他の実施形態においては、外装27は、先ほどのケース内に備えられた塗布具を引き抜くことによって、塗布具の他の部分または塗布具全体を収容することができる。
【００４３】
図1および3に示したように、ケース20は、外装27の内部に、側壁25から突き出た1つまたは複数の係止部28を含む。例えば、側壁25と一体になって構成された4つの硬質の係止部28が、外装27の各隅、ケース20の開口部付近に配置され得る。各係止部28は、底部21と反対側の、中心軸Bを実質的に横断する内側面を含む。係止部28の下面が、外装27内の可動部材35の、開口部へ向けての動きを制限するねらいがある当接面30を成す。
【００４４】
図2および3において、可動部材35は、支持体36および鏡46を備える。
【００４５】
支持体36は、矩形のプレート37を備え、その面から足38および中央のガイドスリーブ39が垂直に延在する。ガイドスリーブ39は、ケース20のガイドスカート22を囲うのに適しており、内部に環状の保持ビーズ40を有する。
【００４６】
鏡46は、プレート36の、足38およびガイドスリーブ39と反対側の面に固着されている。
【００４７】
支持体36は、ケースの底部21と係止部28の間に、プレート37および鏡46が中心軸Bに対して垂直に延在するように取り付けられ、鏡46自体はケース20の開口部に面し、足38およびガイドスリーブ39は、ケースの底部21に面している。
【００４８】
図2および3に示した実施形態において、確定している未充填の長さおよび剛性をもつ圧縮ばね50の形の弾性部材が、底部21と可動部材35の間に取り付けられている。特に、ばね50の端部のうちの一方が、ケースの底部21のガイドスカート22上にはめ込まれており、他端が、支持体のガイドスリーブ39内にはめ込まれている。ガイドスカート22およびガイドスリーブ39は、圧縮ばね50が、保持ビーズ23、40によって保持される着座部を成す。有利には、一実施形態によって、円錐形のまたは2重の円錐形のばねが、できるだけ多くのスペースを確保するために使用される。
【００４９】
次いで、支持体36は、図2に示す後退位置と図1および3に示す使用位置の間の中心軸Bに沿って外装27の内部を移動できる。
【００５０】
使用位置は、可動部材が圧縮ばね50の作用の下で接触する当接面によって定められる。
【００５１】
特に、圧縮ばね50は、可動部材35が底部21から離れ、係止部28に押し付けられた使用位置に向けて、支持体36を弾性的に押しやり、したがって鏡46は、ケース20の開口部に近接する。係止部28は、使用位置における係止部28によって形成された当接面30に可動部材35が確実に当接するように、底部21から、圧縮ばね50の未充填の長さよりも厳密には短い距離をおいて配置される。
【００５２】
図2に示したように、可動部材35は、ケース20が塗布具を覆ったとき、底部21の付近である後退位置にある。特に、シースの自由端17が、圧縮ばね50の力に抗い、鏡46を押し付けて、可動部材35を戻し、後退位置で保持することが期待され得る。
【００５３】
図1から3に示した第1の実施形態において、可動部材35は、底部21が位置づけられる前に、開口部の反対側の外装27に取り付けられる。しかしながら、例えば、底部21に向かって軸方向に延在する柔軟なタブの形をした係止部の他の実施形態は、可動部材35が、開口部を通して取り付けられることを可能にすることが期待され得る。
【００５４】
塗布具、ケース20または可動部材35に対して、変更がさらに可能である。例えば、図4に示した変形形態において、ケースの底部21上にある圧縮ばね50の着座部は、凹部24によって形成される。
【００５５】
さらに、他の実施形態において、圧縮ばね50は、特に、可動部材35を使用位置に向けて動かすのに適した円筒またはその他のタイプの任意のアクチュエータ部材によって置き換えることができる。
【００５６】
口紅の第2の実施形態を、図5から10を参照しつつ記載する。
【００５７】
第1の実施形態では、第2の実施形態による口紅は、上記のものと類似のケース20および可動部材35とともに上記の塗布具を含む。
【００５８】
しかしながら、第2の実施形態は、主として、可動部材35が使用位置において接触する当接面30がとる形において第1の実施形態とは異なっている。
【００５９】
第2の実施形態において、図7に示した支持体36は、プレート37の2つの向かい合う側から垂直に延在する2つのベース壁41を備える。2つの弾性的に変形可能なタブ42が、ベース壁41を切り取ることによってベース壁41上に形成されている。タブ42は、全体が、プレート37に対して垂直に、プレート37付近の自由端まで延びる。タブ42は、自由端がベース壁41の残りの部分から外側を向くように、折れ曲がっている。
【００６０】
支持体36が、外装27に配置されると、図6に示すように、タブ42は、全体的に中心軸Bに沿って開口部に向けて延在し、自由端は側壁25の内側面に接触する。したがって、タブ42は、側壁25の内側面上の自由端の摩擦により、外装27内の支持体36の誘導および滑らかな動きを確実にするガイド部を成す。
【００６１】
変形形態として、支持体36が、任意の適切な形の2つのガイド部のうちの1つまたは複数を含むことができる。
【００６２】
図8および9において、ケース20は、内部に、側壁25の2つの向かい合う側に形成された2つの凹部34を含む。各凹部34は、中心軸Bに対して実質的に横の、底部21に面する面を含み、ケース20の開口部付近に配置される。凹部34の横の面が、可動部材35が使用位置において当接する当接面30を成す。
【００６３】
特に、支持体36が使用位置に到達すると、タブ42が、その弾性によって、凹部34の中へ延び、自由端が、当接面30に接触する。タブ42および当接面30は、鏡46が使用位置においてケースの自由端26と接触するように、配置することができる。
【００６４】
この第2の実施形態によれば、特に、製品が塗布される領域の光学的効果、典型的には倍率を得るために、実質的に平らな表面、典型的には凹面をもつ任意のタイプのガラスの鏡が使用できる。
【００６５】
図10に示したように、塗布具のはめ込み部分13は、したがって、塗布具が、ケースの外装27に収容されるときに凹部34に嵌合するように配置された、弾性的に変形可能なビーズ14などの固定部も含む。したがって、ケース20は、塗布具上に保持され、可動部材35は、上記で説明したように、後退位置にある。
【００６６】
第2の実施形態において、可動部材35は、開口部を通して外装27に取り付けることができる。したがって、ケースの底部21は、側壁25と一体になって形成され得る。
【００６７】
口紅の第3の実施形態を、図11および12に示してある。
【００６８】
第3の実施形態による口紅は、第2の実施形態に関して上で記載したものと類似する可動部材35とともに、第2の実施形態に関して上で記載した塗布具およびケース20を含む。
【００６９】
特に、図12に示したように、第3の実施形態による口紅の支持体36は、ケースの側壁25の内側面に接触して、その動きを誘導し、使用位置における側壁25にできた1つまたは複数の凹部34の係止部表面30に当接する1つまたは複数のタブ42を含む。
【００７０】
第3の実施形態による口紅は、主として支持体36の形および鏡46の配置の点で、第2の実施形態による口紅とは異なる。
【００７１】
支持体36は、横断のプレート37から中心軸Bに沿って延在する矩形の断面をもつ筒状の側壁43を含む。側壁43およびプレート37は、ケース20内の開口部側に開口していてケース20が塗布具を覆うときに塗布具のシース15を収容するのに適した円筒形の収容スペース44を画定する。
【００７２】
反射面45の寸法を増加させるため、鏡46は、支持体36の外表面に固着され、中心軸Bと平行に延在する。
【００７３】
図11に示したように、使用位置において、鏡46の大部分はケースから出ており、これにより、反射面45の見えやすさが向上される。鏡46がこのように配置されることで、支持体36が動いている間に鏡46を拭くのに適した要素を、側壁25上に備えることができる。
【００７４】
図13は、中心軸Bと平行な鏡46が、側壁なしの支持体36に固着される、第3の実施形態の変形形態を示す。したがって、可動部材35は、一般にL字形である。
【００７５】
図示した実施形態において、ディスペンサ1、より具体的には、ベース5、ケース20および支持体36は、一般に矩形の断面を有する。しかしながら、本発明は、そのような断面には限定されない。
【００７６】
例えば、図14および15に示した変形形態において、ディスペンサの断面は、一般に、丸いことが期待され得る。
【００７７】
上記の第2の実施形態の変形形態として示したが、他の実施形態にも置換可能な、図14および15のディスペンサ1において、塗布具をケース20に係止するための部材が備えられる。
【００７８】
これらの係止部材は、例えば、はめ込み部分13上に形成された2つの出っ張り60、およびケース20の内側面内に形成された2つのL字形の溝61、およびケースの自由端26上の開口部を含む。各L字形の溝61は、軸方向の部分62から実質的にケース20の円周の4分の1にわたって延在する横断部分63を有する。
【００７９】
塗布具は、軸方向の部分62を介して出っ張り60をL字形の溝61に挿入し、塗布具をケース20に対して4分の1回転させることによってケース20に係止される。
【符号の説明】
【００８０】
1  ディスペンサ
2  口紅スティック
5  ベース
6  側壁
7  壁
8  自由端
9  スリーブ
10  はめ輪
11、13  狭い部分
12  中心部分
14  ビーズ
15  シース
16  カップ
17  自由端
20  ケース
21  底部
22  ガイドスカート
23  保持ビーズ
24  凹部
25  側壁
26  自由端
27  外装
28  係止部
30  当接面
35  可動部材
36  支持体
37  プレート
38  足
39  ガイドスリーブ
40  保持ビーズ
41  ベース壁
42  タブ
43  側壁
44  収容スペース
45  反射面
46  鏡
50  圧縮ばね
60  出っ張り
61  L字形の溝
62  軸方向の部分
63  横断部分
A  軸
B  中心軸
【図１】
0005645913.tif 000002
【図２】
0005645913.tif 000003
【図３】
0005645913.tif 000004
【図４】
0005645913.tif 000005
【図５】
0005645913.tif 000006
【図６】
0005645913.tif 000007
【図７】
0005645913.tif 000008
【図８】
0005645913.tif 000009
【図９】
0005645913.tif 000010
【図１０】
0005645913.tif 000011
【図１１】
0005645913.tif 000012
【図１２】
0005645913.tif 000013
【図１３】
0005645913.tif 000014
【図１４】
0005645913.tif 000015
【図１５】
0005645913.tif 000016